(57)【特許請求の範囲】
【請求項１】
誘導位置センサであって、導電性針金から成る少なくとも１つの巻線（１０，１１，１２，１３）を持つボビン（９）を有し、巻線がボビン（９）の少なくとも１つの室に設けられているものにおいて、巻線（１０，１１，１２，１３）に加えて、巻線（１０，１１，１２，１３）の上又は下に巻かれる電気接続部なしの別の巻線（１７，１８，１９）が設けられ、別の巻線（１７，１８，１９）の巻線高さが、それによりボビン（９）の室が満たされるような大きさであることを特徴とする、誘導位置センサ。
【請求項２】
別の巻線（１７，１８，１９）がプラスチツク糸から成ることを特徴とする、請求項１に記載の誘導位置センサ。
【請求項３】
別の巻線（１７，１８，１９）が磁化不可能な針金から成ることを特徴とする、請求項１に記載の誘導位置センサ。
【発明の詳細な説明】
【０００１】
【発明の属する技術分野】
本発明は、請求項１の上位概念に記載のなるべくアキユムレータに結合される誘導位置センサに関する。
【０００２】
【従来の技術】
組込まれる位置センサなしのアキユムレータはドイツ連邦共和国特許出願公開第１９８５２６２８号明細書から公知である。公知のアキユムレータは、なるべく圧力媒体（圧力液体）を蓄えかつ準備するため、乗用自動車において使用される。アキユムレータは、底板及びベローにより２つの分離した圧力空間に分割される円筒状ハウジングから成っている。下部圧力空間は、接続管片を介して乗用自動車の液圧系統に接続される。これから分離した上部圧力空間は、適当なガス例えば窒素を満たされている。アキユムレータに圧力液体を満たすと、充分高い液圧の場合ベローが、中に収容されている圧力ガスと共に圧縮され、こうして所望の液圧を維持する。
【０００３】
液圧を監視するため、液圧装置の任意の個所に組込まれる圧力センサが公知である。しかし種々の理由から付加的にアキユムレータの底板の位置を位置センサにより監視するのが更に望ましい。このような監視により、液圧装置にある望ましくない気泡を確認することができる。なぜならば、この場合気泡の圧縮により圧力液体が圧力上昇しても、アキユムレータの底板は最初は動かないからである。
【０００４】
最初にあげた種類のアキユムレータにおいて、圧縮不可能な材料からなる充填体をアキユムレータへ挿入することにより、圧力ガスの必要な充填量を減少することも更に考えられる。これは、そのように減少される圧力ガスの量により、アキユムレータ圧力への有害な温度の影響が少なくされるという利点を持っている。更にこれにより、アキユムレータの圧力−行程特性曲線の峻度も高められる。
【０００５】
アキユムレータの底板の位置測定に適した位置センサは、例えばドイツ連邦共和国特許出願公開第１９６２４８０１号明細書から公知である。そこに開示されている誘導位置センサは、位置に関係して鉄心が押込み可能なコイルから成っている。コイルは通常ボビン上へ巻付けられている。ボビンは複数の室から成り、センサ特性曲線を一様にするため、異なる巻き数又は巻き高さを持つ巻線又は巻線部分がこれらの室に設けられている。
【０００６】
少ない巻き数又は巻き高さを持つ巻線部分が設けられている場合、コイルの表面とボビンの縁との間に環状空間が残る。しかしこれによって、圧力ガスにより満たされる容積又はアキユムレータの充填量が大きくなり、それにより僅かな充填量という上述した利点が少なくなる。
【０００７】
【発明が解決しようとする課題】
本発明の基礎になっている課題は、適当な手段によりアキユムレータのガス容積又は充填量を更に減少することである。
【０００８】
【課題を解決するための手段】
この課題は、請求項１に含まれる発明によって解決される。従属請求項は適切な展開を含んでいる。
【０００９】
有効巻線上に別の巻線を本発明により設け、この別の巻線をなるべくプラスチツク糸から形成することによって、従来の安価な巻付け技術を利用しながら、アキユムレータ内の圧力ガスの付加的な容積減少を行うことに成功した。この巻付け技術は、アキユムレータに存在する３００ｂａｒまでの高い圧力にも適している。これは、別の巻線による付加的な容積が圧力を通すことによって可能となる。
【００１０】
これに反し充填されないボビン室が圧力を通さない材料例えば流し込み材料で満たされると、この流し込み材料が許容できないように有効巻線へ圧力を及ぼして、測定値を誤らせるか又はセンサを破壊することのないようにするため、流し込み材料がアキユムレータに存在する圧力に耐えねばならない。従って流し込み技術は危険を伴い、技術的に実現困難である。
【００１１】
圧力に耐える別個の成形体で部分的にのみ利用される巻線室を満たすことも当然考えられる。しかしこれにより本発明による解決策に対して、付加的な部分による費用の増大及び組立費用が生じることになる。
【００１２】
更に充填片又は成形体により、本発明により提案される容積巻線により可能であるような大きい割合の必要な容積変化は得られない。
【００１３】
図面により本発明が以下に説明される。
【００１４】
【実施例】
図１に示すアキユムレータは、金属から成る円筒状外壁１，車両例えば乗用自動車の液圧系統に接続されている液体接続部３，垂直な方向に移動可能で案内片５により外壁１に対して支持されている底板２，底板２及び外壁１の反対側端部に例えば溶接により気密に取付けられている金属ベロー４，アキユムレータにあるガス容積を少なくするための圧力に耐える円対称な充填体６を持っている。
【００１５】
底板２のそのつどの位置を測定するため、位置センサ７が中心に組込まれている。位置センサ７は、連続して巻かれたコイルを持ち、このコイルの両端は端子接触子８に取付けられている。
【００１６】
位置センサ７の詳細な構造が図２に示されている。これからわかるように、位置センサ７のコイルは、ボビン９の例えば４つの環状の室に設けられている。部分コイルのそれぞれの巻き数は相違している。例えば右の室は電気巻線１３で完全に満たされている。これに反しそれ以外の室は、電気巻線１０，１１，１２を部分的にのみ巻付けられている。巻線のこの異なる分配は、位置センサの特性曲線を一様にするのに役立つ。前後に接続される巻線１０，１１，１２，１３の両端は、２つの端子接触子８に例えばろう付け又は溶接により取付けられている。位置センサは、更に位置に関係して矢印１６の方向に移動可能で磁化可能な材料例えば鉄からなる磁心１４を持っている。磁心１４の露出する端部は底板２の支持され、それにより底板２のそのつどの位置が測定可能である。位置センサ７の磁気的性質を改善するため、更に磁化可能な材料から成るフード１５が設けられて、ボビン９を包囲し、磁心１４用の開口を持っている。この位置センサの構造及びその電子評価装置は当業者に知られている。
【００１７】
さて本発明によれば、電気巻線により完全には満たされないボビン９の室を満たすために、電気接続部なしのそれぞれ１つの別の巻線１７，１８，１９が、なるべく巻線１０，１１，１２上に巻かれている。こうしてすべての室が完全に満たされている。これにより、アキユムレータにある圧力ガスの所望の付加的な容積減少が行われる。
【００１８】
別の巻線１７，１８，１９がプラスチツク糸から成ると好都合である。プラスチツク糸の端部は適当に固定される。
【００１９】
しかし別の巻線１７，１８，１９が、非磁性針金例えば有効巻線１０，１１，１２，１３と同じ針金から成ることもできるが、その場合これらの別の巻線の端部は接続されていないか又は絶縁されている。
【００２０】
本発明による変位センサはなるべくアキユムレータにおいて使用可能であるが、問題となるような高い圧力が存在する他の個所にも当然使用することができる。
【図面の簡単な説明】
【図１】アキユムレータの断面を示す。
【図２】アキユムレータに組込まれる誘導位置センサの断面を示す。
【符号の説明】
９                ボビン
１０〜１３        巻線
１７〜１９        別の巻線
【図１】
0004269308.tif 000002
【図２】
0004269308.tif 000003